(57)【要約】【課題】高速に撮像レンズの光軸の傾きを補正することが可能であり、かつ、より広い撮像範囲において焦点ずれを低減でき、良質な写真画像を得ることが可能なカメラモジュールを提供する。【解決手段】レンズ駆動装置は、焦点検出画素６ｂを用いて検出された焦点検出信号値と焦点検出画素６ｂ´を用いて検出された焦点検出信号値とに基づいて、撮像レンズをチルトする。【選択図】図５
2016075772.tif 000002
【特許請求の範囲】
【請求項１】
撮像レンズと、
上記撮像レンズを駆動するためのレンズ駆動装置と、
上記撮像レンズを通して入射された光を電気信号に変換する撮像素子と、を備えるカメラモジュールであって、
上記撮像素子には、焦点検出に用いる第１焦点検出素子および第２焦点検出素子が２次元的に設けられており、
上記レンズ駆動装置は、上記撮像レンズをチルトするチルト駆動機能を備えており、
上記レンズ駆動装置は、上記第１焦点検出素子を用いて検出された第１焦点検出信号値と上記第２焦点検出素子を用いて検出された第２焦点検出信号値とに基づいて、上記撮像レンズをチルトすることを特徴とするカメラモジュール。
【請求項２】
上記第１焦点検出素子および上記第２焦点検出素子は、上記撮像素子の一軸上に設けられており、
上記撮像素子の一軸と略直交する上記撮像素子の他の一軸上には、第３焦点検出素子と第４焦点検出素子とが設けられており、
上記レンズ駆動装置は、上記第１焦点検出信号値と、上記第２焦点検出信号値と、上記第３焦点検出素子を用いて検出された第３焦点検出信号値と、上記第４焦点検出素子を用いて検出された第４焦点検出信号値とに基づいて、上記撮像レンズをチルトすることを特徴とする請求項１に記載のカメラモジュール。
【請求項３】
上記第１焦点検出素子と、上記第２焦点検出素子と、上記第３焦点検出素子と、上記第４焦点検出素子とは、上記撮像素子の中央部の外側である周辺部分に設けられていることを特徴とする請求項２に記載のカメラモジュール。
【請求項４】
上記撮像素子の中央部には、焦点検出に用いる第５焦点検出素子が設けられており、
上記レンズ駆動装置は、上記第５焦点検出素子を用いて検出された第５焦点検出信号値に基づいて、上記撮像レンズを上記撮像レンズの光軸方向に駆動することを特徴とする請求項３に記載のカメラモジュール。
【請求項５】
上記レンズ駆動装置は、上記第１焦点検出素子を用いて検出された第１焦点検出信号値と上記第２焦点検出素子を用いて検出された第２焦点検出信号値との差がゼロに近づく方向に上記撮像レンズをチルトすることを特徴とする請求項４に記載のカメラモジュール。
【発明の詳細な説明】
【技術分野】
【０００１】
本発明は、携帯電話等の電子機器に搭載されるカメラモジュールに関するものであって、特には、光軸の傾き量と傾き方向との両方のチルト情報を検出できるチルト検出手段を備えたカメラモジュールと、検出した上記チルト情報に応じて撮像レンズをチルトさせるためのチルト駆動機構を備えたカメラモジュールとに関するものである。
【背景技術】
【０００２】
近年の携帯電話は、携帯電話内にカメラモジュールを組み込んだ機種が大半を占めるようになってきている。携帯電話に搭載されるカメラモジュールは、携帯電話内に収納しなければならないため、デジタルカメラと比べて小型、軽量化に対する要求が大きい。
【０００３】
このようなカメラモジュールの中で、レンズ駆動装置によってレンズを駆動させることによりオートフォーカス（ＡＦ：Ａｕｔｏ  Ｆｏｃｕｓ）機能を実現するタイプのものが、携帯電話等の電子機器に搭載される例も増加してきている。このようなレンズ駆動装置としては、ステッピングモータを利用するタイプ、圧電素子を利用するタイプ、ＶＣＭ（Ｖｏｉｃｅ  Ｃｏｉｌ  Ｍｏｔｏｒ：ボイスコイルモータ）を利用するタイプ等、様々なタイプが存在し、既に市販されている。中でも、ＶＣＭ方式のレンズ駆動装置は、比較的安価で信頼性も高いため、オートフォーカス機能を有するカメラモジュールにおいては、圧倒的多数がこの方式のレンズ駆動装置を搭載している。
【０００４】
さらには、単純にオートフォーカスのために撮像レンズを繰り出すだけではなく、撮像レンズをチルトさせる機能も併せ持ったレンズ駆動装置も提案されている。特許文献１には、撮像レンズの繰り出し機能とともにチルト機能も併せ持ったレンズ駆動装置の例が記載されている。具体的に特許文献１には、４つの環状コイルに異なる電流を流すことにより、レンズ支持体の傾きを制御するレンズ駆動装置について記載されている。このようにレンズ支持体の傾きを制御するレンズ駆動装置を利用することで、画像センサのコントラスト情報等を利用して検出した光軸の傾きを補正することができると記載されている。
【０００５】
一方、カメラモジュールの分野では、レンズ駆動装置以外についても、新しい提案がなされてきている。例えば、カメラモジュールに備えられた撮像素子において、位相差を利用して焦点位置を検出できる撮像素子などが提案されている。
【０００６】
特許文献２には、位相差を利用して焦点検出が可能な撮像素子の例が記載されている。特許文献２に記載されている撮像素子は、遮光膜により瞳分割されている構成であって、光軸に対して−側に設けられた開口の列と＋側に設けられた開口の列とが形成されている。＋側に偏芯した射出瞳領域からのＡＦ信号と、−側に偏芯した射出瞳領域からのＡＦ信号とに基づいて相関演算を行い、デフォーカス量を算出する方法について記載されている。
【先行技術文献】
【特許文献】
【０００７】
【特許文献１】特開２０１１−６５１１４号公報（２０１１年３月３１日公開）
【特許文献２】特開２００９−１０９９６５号公報（２００９年５月２１日公開）
【発明の概要】
【発明が解決しようとする課題】
【０００８】
上記特許文献１に記載のレンズ駆動装置のように、画像センサのコントラスト情報を利用して、撮像レンズの光軸の傾きを検出する場合、コントラスト値が最も高い状態を検出し、撮像レンズの光軸の傾きがゼロの状態を判別できたとしても、撮像レンズの光軸の傾きがゼロの状態からどちらの方向に傾いてもコントラスト値が減少する方向となるため、撮像レンズの光軸が傾いていることは判別できても、撮像レンズの光軸がどの方向に傾いているのかまでは判別できない。以上のように、上記特許文献１に記載のレンズ駆動装置においては、撮像レンズの光軸がどの方向に傾いているのかが判別できないので、撮像レンズの光軸の傾きを補正する方向を決定することもできないという問題がある。このような場合には、先ず、撮像レンズをある方向にチルトさせてみて、この撮像レンズをチルトさせた方向が、コントラスト値を増加させる方向か、低下させる方向かを判別し、コントラスト値を増加させる方向を撮像レンズの光軸の傾きを補正する方向とすることができる。しかしながら、上記特許文献１に記載のレンズ駆動装置においては、撮像レンズの光軸の傾きを補正する方向を検出するためには、撮像レンズをある方向にチルトさせてみる必要が生じるので、撮像レンズの光軸の傾きを高速に補正することはできない。
【０００９】
一方、上記特許文献２に記載されている撮像装置においては、位相差によるデフォーカス検出機能を備えた撮像素子を用いることにより、撮像レンズの合焦情報やデフォーカス情報を得ることは可能であるが、このままでは撮像レンズの光軸の傾きを補正するために必要とされる撮像レンズの光軸の傾き量と傾き方向とは検出されない。さらに、上記特許文献２に記載されている撮像装置においては、撮像レンズをチルトさせて撮像レンズの光軸の傾きを補正するレンズ駆動装置は備えられていない。したがって、上記特許文献２に記載されている撮像装置においては、撮像レンズの光軸の傾きを補正することはできないという問題がある。
【００１０】
本発明の目的は、高速に撮像レンズの光軸の傾きを補正することが可能であり、かつ、より広い撮像範囲において焦点ずれを低減でき、良質な写真画像を得ることが可能なカメラモジュールを提供することにある。
【課題を解決するための手段】
【００１１】
本発明のカメラモジュールは、上記課題を解決するために、撮像レンズと、上記撮像レンズを駆動するためのレンズ駆動装置と、上記撮像レンズを通して入射された光を電気信号に変換する撮像素子と、を備えるカメラモジュールであって、上記撮像素子には、焦点検出に用いる第１焦点検出素子および第２焦点検出素子が２次元的に設けられており、上記レンズ駆動装置は、上記撮像レンズをチルトするチルト駆動機能を備えており、上記レンズ駆動装置は、上記第１焦点検出素子を用いて検出された第１焦点検出信号値と上記第２焦点検出素子を用いて検出された第２焦点検出信号値とに基づいて、上記撮像レンズをチルトすることを特徴としている。
【００１２】
上記構成によれば、上記レンズ駆動装置は、上記撮像レンズをチルトするチルト駆動機能を備えており、上記レンズ駆動装置は、上記第１焦点検出素子を用いて検出された第１焦点検出信号値と上記第２焦点検出素子を用いて検出された第２焦点検出信号値とに基づいて、上記撮像レンズをチルトさせ、高速に上記撮像レンズの光軸の傾きを補正することが可能であり、かつ、より広い撮像範囲において焦点ずれを低減でき、良質な写真画像を得ることが可能なカメラモジュールを実現できる。
【発明の効果】
【００１３】
本発明の一態様によれば、高速に撮像レンズの光軸の傾きを補正することが可能であり、かつ、より広い撮像範囲において焦点ずれを低減でき、良質な写真画像を得ることが可能なカメラモジュールを実現できる。
【図面の簡単な説明】
【００１４】
【図１】本発明の一実施形態に係るカメラモジュールの概略構成を示す斜視図である。
【図２】図１に図示したカメラモジュールのＡ−Ａ線矢視断面図である。
【図３】図２に図示したカメラモジュールのＢ−Ｂ線矢視断面図である。
【図４】本発明の一実施形態に係るカメラモジュールに備えられたコイルとマグネットの概略構成を示す要部斜視図である。
【図５】本発明の一実施形態に係るカメラモジュールに備えられた撮像素子における焦点検出画素の配置例を示す概略図である。
【図６】図５に図示した焦点検出画素の拡大図である。
【図７】被写体と、本発明の一実施形態に係るカメラモジュールにおける撮像レンズおよび焦点検出画素との関係を示す概略図である。
【図８】図７に図示した本発明の一実施形態に係るカメラモジュールにおいて、撮像レンズが傾斜した状態を示す概略図である。
【図９】図７に図示した本発明の一実施形態に係るカメラモジュールの撮像素子に対して、被写体が傾斜した状態を示す概略図である。
【図１０】図９に図示した本発明の一実施形態に係るカメラモジュールにおいて、撮像レンズを傾斜させることによりデフォーカス状態を補正した状態を示す概略図である。
【図１１】本発明の他の一実施形態に係るカメラモジュールに備えられた撮像素子における焦点検出画素の配置例を示す概略図である。
【図１２】本発明の他の一実施形態に係るカメラモジュールに備えられた撮像素子における焦点検出画素の他の配置例を示す概略図である。
【図１３】本発明のさらに他の一実施形態に係るカメラモジュールに備えられた撮像素子における焦点検出画素の拡大図である。
【図１４】本発明のさらに他の一実施形態に係るカメラモジュールに備えられた撮像素子における焦点検出画素の配置例を示す概略図である。
【発明を実施するための形態】
【００１５】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００１６】
本発明の実施の形態を図１〜図１４に基づいて説明すれば以下のとおりである。
【００１７】
〔実施の形態１〕
本発明の一実施形態について図１〜図１０に基づいて説明すれば、以下のとおりである。
（カメラモジュールの構成）
図１は、カメラモジュール３０の概略構成を示す斜視図である。カメラモジュール３０は、複数の撮像レンズを含む光学部１と、光学部１を光軸方向および光軸に垂直な方向に駆動するために光学部１の外側に配置されたレンズ駆動装置２と、光学部１を経由した光を撮像するために光学部１における撮像レンズを通して入射された光を電気信号に変換する撮像素子を備えた撮像部３と、を備える。なお、レンズ駆動装置２と、撮像部３とは光軸方向に積層されている。以下の説明では、便宜上、光学部１側（被写体側）を上方、撮像部３側を下方とする。
【００１８】
図２および図３に基づき、カメラモジュール３０の全体構造について説明する。図２は、図１に図示したカメラモジュール３０のＡ−Ａ線矢視断面図であり、図３は、図２に図示したカメラモジュール３０のＢ−Ｂ線矢視断面図である。
【００１９】
光学部１は、複数（本実施の形態においては４枚の場合を例に挙げて説明する）の撮像レンズ４と、複数の撮像レンズ４を内側に保持するシリンダ形状のレンズバレル５と、を備える。光学部１は、被写体像を形成する撮像光学系であり、外部からの光を複数の撮像レンズ４を介して撮像部３の撮像素子６へ導く。複数の撮像レンズ４の光軸（図２に破線で図示）は、レンズバレル５の軸心と一致している。光学部１は、撮像部３の撮像素子６に対して光軸方向に変位可能で、かつ光軸に垂直な２軸まわりにチルト可能に、支持されている。
【００２０】
レンズ駆動装置２は、レンズホルダ７と、コイル８と、マグネット９と、一対の上側バネ１０ａおよび下側バネ１０ｂと、マグネット保持部材１１と、ヨーク１２と、を備えている。
【００２１】
レンズホルダ７は、レンズバレル５を内側に保持し、光学部１と一体となって駆動される。レンズバレル５は、接着剤１３によりレンズホルダ７に固定されている。レンズバレル５の取付位置（高さ）は、画像信号に基づいて最適位置に調整されるか、あるいは治具等を用いてメカニカルに設定される。
【００２２】
上側バネ１０ａおよび下側バネ１０ｂは、レンズホルダ７を、固定部となるマグネット保持部材１１に対して光軸方向可動に支持するもので、上側バネ１０ａをコイル８の通電手段として用いる場合には、導電性の金属材料（例えば、ニッケル銅、チタン銅、ベリリウム銅等の銅合金）であることが好ましいが、これに限定されることはない。上側バネ１０ａを例に挙げて、図３に基づいてその構造を説明する。上側バネ１０ａは、レンズホルダ７に固定される内周枠１０ａ´と、マグネット保持部材１１に固定される外周枠１０ａ´´と、その両者を連結し、可撓性を有するアーム部１０ａ´´´とから構成される。図３においては、これらはひとつの部品として図示されているが、本実施の形態のように、バネをコイル８の通電手段として用いる場合には、そのアーム部ごとに（図３に図示するカメラモジュール３０においては、上側バネ１０ａには４個のアーム部が備えられており、下側バネ１０ｂにも４個のアーム部が備えられている）電気的に独立できるように分断されていることが好ましい。本実施の形態においては、下側バネ１０ｂも上側バネ１０ａと同じ形状のものを用いているが、これに限定されることはなく、上側バネ１０ａと下側バネ１０ｂとは互いに異なる形状であってもよい。
【００２３】
コイル８は、レンズホルダ７の外周側４の側面に固定されており、これに対向するようにマグネット９がマグネット保持部材１１に固定されている。コイル８に電流を印加することにより、フレミングの左手法則にしたがってコイル８は光軸方向に力を受け、光学部１と、レンズホルダ７と、コイル８とを備えた可動部が一体的に光軸方向に駆動される。
（チルト駆動機能）
以下、レンズ駆動装置２に備えられたチルト駆動機能について説明する。
【００２４】
チルト駆動機能は、撮像レンズ４の光軸の傾きを補正するために撮像レンズ４をチルトするための機能であり、レンズホルダ７と、コイル８と、マグネット９と、一対の上側バネ１０ａおよび下側バネ１０ｂと、マグネット保持部材１１と、ヨーク１２と、によって具現される。
【００２５】
なお、レンズ駆動装置２においては、撮像レンズ４を所定方向にチルトすることを可能にするため、４つのコイル８に対してそれぞれ独立的に電流を印加できるようにしている。４つのコイル８の両端にそれぞれ独立して電流を印加するためには、合計８つの通電手段が必要になる。
【００２６】
本実施の形態においては、上記８つの通電手段として、上側バネ１０ａの４つのアーム部１０ａ´´´と下側バネ１０ｂの４つのアーム部（未図示）とを用いているが、これに限定されることはない。そして、本実施の形態においては、上側バネ１０ａの４つのアーム部１０ａ´´´と下側バネ１０ｂの４つのアーム部とが全て電気的に独立となるように、上側バネ１０ａと下側バネ１０ｂとを分割した。なお、４つのコイル８のグランド側端子を共通にできる場合は、合計５つの通電手段が必要となるので、上側バネ１０ａの４つのアーム部１０ａ´´´と下側バネ１０ｂの４つのアーム部との何れか一方のみを４分割し、他方は一体としてグランド端子に接続してもよい。
【００２７】
以下、コイル８およびマグネット９の形状や配置などについて、図４に基づいて説明する。図４は、コイル８とマグネット９の概略構成を示す要部斜視図である。図４においては、４組中、１組のコイル８とマグネット９のみを例に挙げて図示している。コイル８は、小判型の扁平形状をしており、上側直線部８ａと下側直線部８ｂとを有する。コイル８に電流を印加すると、上側直線部８ａと下側直線部８ｂとでは逆向きに電流が流れることになる。一方、コイル８に対向して配置されるマグネット９は、その上側部分９ａと下側部分９ｂとで着磁方向が異なっている。本実施の形態においては、マグネット９の上側部分９ａのＮ極がコイル８の上側直線部８ａと対向するように配置され、マグネット９の下側部分９ｂのＳ極がコイル８の下側直線部８ｂと対向するように配置されているが、これに限定されることはなく、マグネット９の上側部分９ａのＳ極がコイル８の上側直線部８ａと対向するように配置され、マグネット９の下側部分９ｂのＮ極がコイル８の下側直線部８ｂと対向するように配置されてもよい。したがって、コイル８の上側直線部８ａと下側直線部８ｂとに作用する磁束の方向は逆であり、かつ、流れる電流の向きも逆となるため、コイル８の上側直線部８ａと下側直線部８ｂとは同じ方向の力を受け、光軸方向の駆動力を発生させることができる。
【００２８】
４つのコイル８に同じ電流を印加すると、光学部１は殆どチルトすることなく光軸方向に駆動されるが、異なる電流を印加すると、力のアンバランスによりモーメントを受け、光学部１はチルトを伴いながら光軸方向に駆動される。このようにして、４つのコイル８への印加電流を独立に制御することにより、光軸方向への駆動（オートフォーカス動作）とチルト駆動（チルト動作）とを同時に行うことが可能となる。上記チルト駆動は、コイル８に印加される電流値の差によって生じる磁気力の差を用いて、撮像レンズ４をチルトさせるようになっている。
【００２９】
なお、オートフォーカス動作とチルト動作とを同時に行うためには、上側バネ１０ａおよび下側バネ１０ｂのバネ定数は、なるべく同程度にしておくことが好ましい。この場合、チルトの回転中心は、上側バネ１０ａおよび下側バネ１０ｂのスパンのほぼ中央付近となる。逆に、上側バネ１０ａおよび下側バネ１０ｂのバネ定数をアンバランスにしておくと、回転中心の位置をずらすことが可能で、横方向の変位を伴うような円弧運動をさせることも可能となる。
【００３０】
なお、本実施の形態においては、図３に図示されているように、４つのコイル８および４つのマグネット９を矩形外形の辺方向に配置するとともに、上側バネ１０ａの４つのアーム部１０ａ´´´と下側バネ１０ｂの４つのアーム部（未図示）とは矩形外形のコーナー部に配置したが、これに限定されることはなく、これらを入れ替えて配置した構成、これら全てを辺方向に配置した構成、これら全てをコーナー部に配置した構成の何れかを用いても構わない。
【００３１】
図２に図示されているように、撮像部３は、基板１４と、基板１４上に搭載された撮像素子６と、レンズ駆動装置２のベース部材の役割を兼ねつつ、撮像素子６をカバーするセンサーカバー１５と、センサーカバー１５の上側の開口部に配置されるＩＲカットガラス１６と、を備えている。撮像素子６は、光学部３を経由して到達した光を受光して光電変換を行い、撮像素子６上に結像された被写体像を得るとともに、後述するようにその一部に焦点検出画素（焦点検出素子）を備えている。なお、基板１４の上面とセンサーカバー１５の下面は接着剤（未図示）によって固定される。
（焦点検出画素（焦点検出素子）を備えた撮像素子）
以下、焦点検出画素６ａ・６ｂ・６ｂ´・６ｃ・６ｃ´を備えた撮像素子６について、図５および図６を用いて説明する。図５は、撮像素子６における焦点検出画素の配置例を示す概略図であり、図６は、図５に図示した焦点検出画素の拡大図である。
【００３２】
図５に図示されているように、焦点検出画素６ａは撮像素子６の略中央部に配置され、他の焦点検出画素６ｂ・６ｂ´・６ｃ・６ｃ´は、この焦点検出画素６ａを中心として略対称な位置の周辺部分（上下左右の周辺部分）に、焦点検出画素６ｂと焦点検出画素６ｂ´とが、焦点検出画素６ｃと焦点検出画素６ｃ´とが、それぞれ対をなすように配置されている。すなわち、対をなす焦点検出画素６ｂと焦点検出画素６ｂ´とが９０度回転した方向において、焦点検出画素６ａを中心として略対称な位置の周辺部分にもう一つの対をなす焦点検出画素６ｃと焦点検出画素６ｃ´とが配置されている（焦点検出画素６ｂ・６ｂ´・６ｃ・６ｃ´は、撮像素子６の中央部に対して、略点対称に配置されている）。
【００３３】
本実施の形態においては、撮像素子６のＸ方向の一軸上に焦点検出画素６ｃと焦点検出画素６ｃ´とが設けられているとともに、撮像素子６のＹ方向の一軸上に焦点検出画素６ｂと焦点検出画素６ｂ´とが設けられている場合を一例に挙げて説明したが、これに限定されることはなく、対をなす２つの焦点検出画素は、例えば、撮像素子６の対角方向の一軸上に設けられていてもよい。また、対をなす２つの焦点検出画素は、撮像レンズ４のチルト量やチルト方向を検出することが可能であれば、撮像素子６のある方向の一軸上に設けられてなくてもよい。さらに、本実施の形態においては、焦点検出画素６ｂ・６ｂ´・６ｃ・６ｃ´は、何れも、撮像素子６の周辺部分（上下左右の周辺部分）に配置されている場合を例に挙げたが、撮像レンズ４のチルト量やチルト方向を検出することが可能な位置であれば、撮像素子６の周辺部分に限定されることはない。また、焦点検出画素の数は、撮像レンズ４のチルト量やチルト方向を検出することが可能なように、少なくとも２個以上設けられていればよく、その数は特に限定されない。
【００３４】
図６（ａ）は、撮像素子６のＹ方向に伸びる焦点検出画素６ａ・６ｃ・６ｃ´を図示しており、図６（ｂ）は、撮像素子６のＸ方向に伸びる焦点検出画素６ｂ・６ｂ´を図示している。図６（ａ）に図示されているように、各々の焦点検出画素６ａ・６ｃ・６ｃ´は複数の画素で構成されている。複数の画素の各々は遮蔽膜６ｄで覆われており、遮蔽膜６ｄの一部には開口部６ｅが設けられている。複数の画素において、開口部６ｅは、片寄せされて設けられており、片寄せの方向は隣接する画素で交互に異なっている。このように、片寄せの方向が左右に異なる開口部６ｅを有する画素６ｆと画素６ｇとを行方向に配置することにより、位相差を用いた焦点検出が可能となる。一方、図６（ｂ）に図示されているように、各々の焦点検出画素６ｂ・６ｂ´は複数の画素で構成されている。複数の画素の各々は遮蔽膜６ｄで覆われており、遮蔽膜６ｄの一部には開口部６ｅが設けられている。複数の画素において、開口部６ｅは、片寄せされて設けられており、片寄せの方向は隣接する画素で交互に異なっている。このように、片寄せの方向が上下に異なる開口部６ｅを有する画素６ｈと画素６ｉとを列方向に配置することにより、位相差を用いた焦点検出が可能となる。
【００３５】
図７は、被写体１７は焦点検出画素６ａ・６ｂ・６ｂ´・６ｃ・６ｃ´に対して平行であって、光学部１の撮像レンズ４の光軸が被写体１７に対して垂直である場合の被写体１７と、カメラモジュール３０とを示す概略図である。なお、光学部１の構造は簡略化して図示しており、撮像レンズ４も１個のみを図示している。そして、図７は、図５におけるＣ−Ｃ線方向の矢視断面図である。
【００３６】
図７に図示されているように、被写体１７が各々の焦点検出画素６ａ・６ｂ・６ｂ´・６ｃ・６ｃ´に対して平行であって、光学部１の撮像レンズ４の光軸が被写体１７に対して垂直である場合には、カメラモジュール３０のレンズ駆動装置（未図示）によって、光学部１が撮像レンズ４の光軸方向に駆動され、どこかの位置で撮像素子６の略中央部に配置された焦点検出画素６ａから焦点検出信号値として合焦信号が得られ、同位置で周辺の一対の焦点検出画素６ｂ・６ｂ´・６ｃ・６ｃ´からも焦点検出信号値として合焦信号が得られる。したがって、全ての焦点検出画素６ａ・６ｂ・６ｂ´・６ｃ・６ｃ´からほぼ同一の焦点位置情報が得られる。
【００３７】
図８は、被写体１７は焦点検出画素６ａ・６ｂ・６ｂ´・６ｃ・６ｃ´に対して平行であって、光学部１の撮像レンズ４にはチルトが生じ、撮像レンズ４の光軸が被写体１７に対して垂直でない場合の被写体１７と、カメラモジュール３０とを示す概略図である。
【００３８】
図示されているように、撮像レンズ４にチルトが生じている場合、すなわち、撮像レンズ４の光軸が傾いている場合には、撮像素子６の略中央部に配置された焦点検出画素６ａから焦点検出信号値として合焦信号が得られる位置においても、周辺の一対の焦点検出画素６ｂ・６ｂ´および／または周辺の一対の焦点検出画素６ｃ・６ｃ´（図８に未図示）からは焦点検出信号値として合焦信号ではなく、デフォーカス信号が得られる。以上のように、一対の焦点検出画素６ｂ・６ｂ´の間および／または一対の焦点検出画素６ｃ・６ｃ´の間で異なる焦点位置情報が得られるため、一対の焦点検出画素の各々の焦点位置情報からまたは、一対の焦点検出画素の各々の焦点位置情報を相対比較することにより、撮像レンズ４のチルト量やチルト方向を検出することが可能となる。
【００３９】
周辺の一対の焦点検出画素６ｂ・６ｂ´においては、撮像レンズ４を通った光が、ｎｅａｒ側（図６（ｂ）に図示する各画素の下側）で集光するか、ｆａｒ側（図６（ｂ）に図示する各画素の上側）で集光するかによって、デフォーカスの方向が異なるため、撮像レンズ４がチルトしている方向を判別できる。同様に、周辺の一対の焦点検出画素６ｃ・６ｃ´においては、撮像レンズ４を通った光が、ｎｅａｒ側（図６（ａ）に図示する各画素の右側）で集光するか、ｆａｒ側（図６（ａ）に図示する各画素の左側）で集光するかによって、デフォーカスの方向が異なるため、撮像レンズ４がチルトしている方向を判別できる。
【００４０】
したがって、これらの撮像レンズ４のチルト情報（チルト量やチルト方向）に基づいて、レンズ駆動装置２の各コイル８の電流量を独立的に制御することにより、撮像レンズ４の光軸のチルトを補正する方向に光学部１、すなわち、撮像レンズ４をチルトさせることで、撮像レンズ４の光軸の傾きを補正することができるので、撮像レンズ４の光軸の傾きによって生じる周辺部分でのボケ、いわゆる片ボケを緩和することが可能になる。
【００４１】
以下、具体的な焦点検出画素６ｂの焦点検出信号値および焦点検出画素６ｂ´の焦点検出信号値を例に挙げて説明する。例えば、撮像レンズ４を通った光が、ｎｅａｒ側で集光する（ｎｅａｒ側のボケ）のを＋で表現し、ｆａｒ側で集光する（ｆａｒ側のボケ）のを−で表現することにする。
【００４２】
焦点検出画素６ｂの焦点検出信号値が−Ａであり、焦点検出画素６ｂ´の焦点検出信号値が＋Ａである場合に、これら２つの焦点検出信号値の差としては２Ａが検出されることとなる。この場合には、この差２Ａがゼロに近づくように、すなわち、それぞれの値−Ａおよび＋Ａがゼロに近づくように、レンズ駆動装置２の各コイル８の電流量を独立的に制御することにより撮像レンズ４をチルトさせると、撮像レンズ４の光軸の傾きを補正できる。なお、本実施の形態のように、周辺の焦点検出画素６ｂ・６ｂ´・６ｃ・６ｃ´が、撮像素子６の略中央部に配置された焦点検出画素６ａを中心に対称に配置されていれば、周辺のみでなく、中央もボケは解消され、カメラモジュール３０は、全体として合焦かつチルトレスが実現できる。
【００４３】
例えば、Ａ＞Ｂであり、焦点検出画素６ｂの焦点検出信号値が＋Ｂであり、焦点検出画素６ｂ´の焦点検出信号値が＋Ａである場合には、これら２つの焦点検出信号値の差としてはＡ−Ｂが検出されることとなる。この場合には、それぞれの値ＡおよびＢがゼロに近づくように撮像レンズ４をチルトさせるか、または、Ａ−Ｂがゼロに近づくように撮像レンズ４をチルトさせることで、撮像レンズ４の光軸の傾きを補正できる。それぞれの値ＡおよびＢがゼロに近づくように撮像レンズ４をチルトさせた場合には、撮像素子６の略中央部に配置された焦点検出画素６ａを使用することなく、カメラモジュール３０は全体として合焦かつチルトレスが実現できる。一方、Ａ−Ｂがゼロに近づくように撮像レンズ４をチルトさせた場合には、撮像レンズ４の光軸の傾きは補正できるが、中央および周辺の全てで焦点ボケしている可能性がある。したがって、この場合においては、撮像素子６の略中央部に配置された焦点検出画素６ａの焦点検出信号値にしたがって焦点合わせをすることにより、焦点合わせが可能となる。
【００４４】
また、例えば、焦点検出画素６ｂの焦点検出信号値が＋Ａであり、焦点検出画素６ｂ´の焦点検出信号値も＋Ａである場合には、これら２つの焦点検出信号値の差はゼロであるため、撮像レンズ４をチルトさせ、撮像レンズ４の光軸の傾きを補正する必要はないが、中央および周辺の全てで焦点ボケしている可能性がある。したがって、この場合においては、撮像素子６の略中央部に配置された焦点検出画素６ａの焦点検出信号値にしたがって焦点合わせをすることにより、焦点合わせが可能となる。一方、それぞれの値Ａがゼロに近づくように撮像レンズ４をチルトさせた場合には、周辺のみでなく、中央もボケは解消され、カメラモジュール３０は、全体として合焦かつチルトレスが実現できる。
【００４５】
唯、本実施の形態の場合とは異なり、撮像素子６がお椀状に反っている場合などにおいては、周辺の一対の焦点検出画素６ｂ・６ｂ´・６ｃ・６ｃ´の各々の焦点検出信号値がゼロに近づくように撮像レンズ４をチルトさせた場合においても、周辺のみで合焦が実現でき、中央ではボケが生じてしまうため、中央の合焦を行うためには、撮像素子６の略中央部に配置された焦点検出画素６ａを備えていることが好ましい。
【００４６】
以下、図９および図１０に基づいて、カメラモジュール３０の撮像素子６に対して、被写体１７が傾斜している場合について説明する。図９は、カメラモジュール３０の撮像素子６に対して、被写体１７が傾斜した状態を示す概略図であり、図１０は、カメラモジュール３０において、撮像レンズ４を傾斜させることによりデフォーカス状態を補正した状態を示す概略図である。
【００４７】
図９に図示されているように、撮像レンズ４に対して傾斜した被写体１７を撮影するのは、いわゆるあおり撮影と呼ばれるもので、焦点を中央に合わせた場合には、カメラモジュール３０に近い側の被写体像も遠い側の被写体像もボケが発生してしまう。
【００４８】
図示されているように、被写体１７が撮像レンズ４に対して傾斜している場合には、撮像素子６の略中央部に配置された焦点検出画素６ａから焦点検出信号値として合焦信号が得られる位置においても、周辺の一対の焦点検出画素６ｂ・６ｂ´および／または周辺の一対の焦点検出画素６ｃ・６ｃ´（図９に未図示）からは焦点検出信号値として合焦信号ではなく、デフォーカス信号が得られる。以上のように、一対の焦点検出画素６ｂ・６ｂ´の間および／または一対の焦点検出画素６ｃ・６ｃ´の間で異なる焦点位置情報が得られるため、一対の焦点検出画素の各々の焦点位置情報からまたは、一対の焦点検出画素の各々の焦点位置情報を相対比較することにより、傾斜した被写体１７に対しても合焦、またはそれに近い画像を得ることを可能とするための撮像レンズ４のチルト量やチルト方向を検出することが可能となる。
【００４９】
図１０に図示するカメラモジュール３０においては、被写体１７の傾きに応じて、すなわち、周辺の一対の焦点検出画素６ｂ・６ｂ´および／または周辺の一対の焦点検出画素６ｃ・６ｃ´から得られる被写体１７のチルト情報（チルト量やチルト方向）に基づいて、レンズ駆動装置２の各コイル８の電流量を独立的に制御することにより、撮像レンズ４の光軸にもチルトを与えた場合を示しており、カメラモジュール３０においては、傾斜した被写体１７に対しても、撮像素子６の全範囲で合焦、またはそれに近い画像を得ることが可能になる。すなわち、この場合においては、想定外に傾いてしまった撮像レンズ４の光軸を補正するのではなく、被写体１７の傾きに対応して、撮像レンズ４の光軸を積極的にチルトさせるようになっている。
【００５０】
すなわち、撮像素子６に対して傾斜した被写体１７を撮影する場合には、撮像レンズ４をチルトする方向は、撮像素子６に近い側の被写体像と撮像素子６に遠い側の被写体像とのデフォーカスをともに減少させる方向である。
【００５１】
以上のように、本実施の形態におけるカメラモジュール３０においては、想定外に傾いてしまった撮像レンズ４の光軸を補正するために撮像レンズ４の光軸をチルトさせる場合と、被写体１７の傾きに対応して、撮像レンズ４の光軸をチルトさせる場合と、がある。
【００５２】
〔実施の形態２〕
次に、図１１および図１２に基づいて、本発明の実施の形態２について説明する。本実施の形態においては、一対の周辺の焦点検出画素が、撮像素子の対角方向の一軸上に設けられている点において、上述した実施の形態１とは異なる。その他の構成については実施の形態１において説明したとおりである。説明の便宜上、上記の実施の形態１の図面に示した部材と同じ機能を有する部材については、同じ符号を付し、その説明を省略する。
【００５３】
図１１は、撮像素子１８における焦点検出画素の配置例を示す概略図である。
【００５４】
図示されているように、焦点検出画素１８ａは撮像素子１８の略中央部に配置され、他の焦点検出画素１８ｂ・１８ｂ´・１８ｃ・１８ｃ´は、この焦点検出画素１８ａを中心として略対称な位置の周辺部分（４つの対角部分）に、焦点検出画素１８ｂと焦点検出画素１８ｂ´とが、焦点検出画素１８ｃと焦点検出画素１８ｃ´とが、それぞれ対をなすように配置されている。すなわち、対をなす焦点検出画素１８ｂと焦点検出画素１８ｂ´とが９０度回転した方向において、焦点検出画素１８ａを中心として略対称な位置の対角部分にもう一つの対をなす焦点検出画素１８ｃと焦点検出画素１８ｃ´とが配置されている。
【００５５】
図１１に図示されているような焦点検出画素の配置を採用しても、上述した実施の形態１の場合と焦点検出機能やチルト検出機能はほぼ同一であるが、一対の焦点検出画素を対角配置しているので、焦点検出画素間の距離を大きくすることができ、同じチルト量でも焦点変化の影響が大きくなるため、チルト検出の感度を上げることが可能となる。
【００５６】
なお、図１１に図示されている撮像素子１８においては、焦点検出画素１８ａ・１８ｂ・１８ｂ´・１８ｃ・１８ｃ´は、何れも、撮像素子１８のＹ方向に伸びているが、これに限定されることはなく、例えば、以下の図１２に図示されているような構成を用いてもよい。
【００５７】
図１２は、撮像素子１９・２０における焦点検出画素の他の配置例を示す概略図である。
【００５８】
図１２（ａ）に図示されている撮像素子１９においては、焦点検出画素１９ａ・１９ｂ・１９ｂ´・１９ｃ・１９ｃ´は、何れも、撮像素子１９のＸ方向に伸びている。この場合においても、上述した実施の形態１の場合と焦点検出機能やチルト検出機能はほぼ同一であるが、一対の焦点検出画素を対角配置しているので、焦点検出画素間の距離を大きくすることができ、同じチルト量でも焦点変化の影響が大きくなるため、チルト検出の感度を上げることが可能となる。
【００５９】
図１２（ｂ）に図示されている撮像素子２０においては、焦点検出画素２０ａ・２０ｂ・２０ｂ´は、撮像素子２０のＸ方向に伸びており、焦点検出画素２０ｃ・２０ｃ´は、撮像素子２０のＹ方向に伸びている。すなわち、対角配置される一対の焦点検出画素２０ｂ・２０ｂ´や焦点検出画素２０ｃ・２０ｃ´はそれぞれ、撮像素子２０の同方向に伸びている。この場合においても、上述した実施の形態１の場合と焦点検出機能やチルト検出機能はほぼ同一であるが、一対の焦点検出画素を対角配置しているので、焦点検出画素間の距離を大きくすることができ、同じチルト量でも焦点変化の影響が大きくなるため、チルト検出の感度を上げることが可能となる。
【００６０】
〔実施の形態３〕
次に、図１３に基づいて、本発明の実施の形態３について説明する。本実施の形態においては、用いている焦点検出画素の形状が、上述した実施の形態１および２とは異なる。その他の構成については実施の形態１および２において説明したとおりである。説明の便宜上、上記の実施の形態１の図面に示した部材と同じ機能を有する部材については、同じ符号を付し、その説明を省略する。
【００６１】
図１３は、図５に図示した撮像素子６に用いることができる他の焦点検出画素の形状を示す概略図である。
【００６２】
図１３（ａ）は、図５に図示した撮像素子６における焦点検出画素６ａ・６ｃ・６ｃ´として用いることができる焦点検出画素の形状を図示しており、図１３（ｂ）は、図５に図示した撮像素子６における焦点検出画素６ｂ・６ｂ´として用いることができる焦点検出画素の形状を図示している。
【００６３】
図１３（ａ）に図示されているように、本実施の形態の焦点検出画素６ａ・６ｃ・６ｃ´においては、同じ方向に片寄せされた開口部を有する画素が一行に並んでおり、他の方向に片寄せされた開口部を有する画素が隣接する別の一行に並んでいる。すなわち、図中の右方向に片寄せされた開口部６ｅを有する画素６ｇが一行に並んでおり、図中の左方向に片寄せされた開口部６ｅを有する画素６ｆが隣接する別の一行に並んでいる。
【００６４】
図１３（ｂ）に図示されているように、本実施の形態の焦点検出画素６ｂ・６ｂ´においては、同じ方向に片寄せされた開口部を有する画素が一列に並んでおり、他の方向に片寄せされた開口部を有する画素が隣接する別の一列に並んでいる。すなわち、図中の上方向に片寄せされた開口部６ｅを有する画素６ｈが一列に並んでおり、図中の下方向に片寄せされた開口部６ｅを有する画素６ｉが隣接する別の一列に並んでいる。
【００６５】
このような焦点検出画素の形状を用いたとしても、上述した実施の形態１および２の場合と比較して、焦点検出機能やチルト検出機能に大差は無いが、焦点検出画素が増えることで検出感度やダイナミックレンジが大きくなるというメリットを有する。一方、撮像素子としては、半分遮蔽された画素が増加するため撮像画質には悪影響を及ぼす可能性がある。したがって、どのような焦点検出画素の形状を用いるかは、目的に応じて適宜採択すれば良い。
【００６６】
なお、本実施の形態においては、図１３に図示した焦点検出画素の形状を上述した実施の形態１に取り入れた場合を例に挙げて説明したが、これに限定されることはなく、例えば、図１３に図示した焦点検出画素の形状を上述した実施の形態２に取り入れることもできるのは勿論である。
【００６７】
〔実施の形態４〕
次に、図１４に基づいて、本発明の実施の形態４について説明する。本実施の形態においては、撮像素子の略中央部に焦点検出画素を備えてないという点で上述した実施の形態１〜３とは異なる。その他の構成については実施の形態１〜３において説明したとおりである。説明の便宜上、上記の実施の形態１の図面に示した部材と同じ機能を有する部材については、同じ符号を付し、その説明を省略する。
【００６８】
図１４は、撮像素子の略中央部に焦点検出画素を備えてない撮像素子の一例を示す概略図である。
【００６９】
図１４（ａ）に図示する撮像素子２１は、撮像素子２１の略中央部に焦点検出画素を備えてないという点以外は、図５に図示する撮像素子６と同じである。図示されているように、対をなす焦点検出画素２１ａと焦点検出画素２１ａ´とが９０度回転した方向において、撮像素子２１の略中央部を中心として略対称な位置の周辺部分にもう一つの対をなす焦点検出画素２１ｂと焦点検出画素２１ｂ´とが配置されている。
【００７０】
図１４（ｂ）に図示する撮像素子２２は、撮像素子２２の略中央部に焦点検出画素を備えてないという点以外は、図１１に図示する撮像素子１８と同じである。図示されているように、対をなす焦点検出画素２２ａと焦点検出画素２２ａ´とが９０度回転した方向において、撮像素子２２の略中央部を中心として略対称な位置の対角部分にもう一つの対をなす焦点検出画素２２ｂと焦点検出画素２２ｂ´とが配置されている。
【００７１】
本実施の形態の撮像素子２１・２２は、以下に示す理由から、例えば、平面形状の撮像素子を用いた。撮像素子２１・２２が、例えば、お椀状に反っている場合などにおいては、周辺の一対の焦点検出画素の各々の焦点検出信号値がゼロに近づくように撮像レンズ４をチルトさせた場合においても、周辺のみで合焦が実現でき、中央ではボケが生じてしまうため、中央の合焦を行うためには、撮像素子２１・２２の略中央部に焦点検出画素を備えていることが好ましいからである。
【００７２】
本実施の形態のように、撮像素子の略中央部に焦点検出画素を備えてない撮像素子２１・２２を用いる場合には、一対の焦点検出画素の各々の焦点検出信号値がゼロに近づくように撮像レンズ４をチルトさせると、撮像素子の略中央部に配置される焦点検出画素を使用する必要がなく、カメラモジュールは全体として合焦かつチルトレスが実現できる。
【００７３】
撮像素子の略中央部に焦点検出画素を備えてないことにより、撮像素子としては、半分遮蔽された画素が増加するのを抑制できるので、撮像画質に悪影響を及ぼすのを抑制できるというメリットがある。したがって、撮像素子の略中央部に焦点検出画素を備えるか、備えないかは撮像素子の形状に応じて適宜採択すれば良い。
【００７４】
〔まとめ〕
本発明の態様１におけるカメラモジュールは、撮像レンズと、上記撮像レンズを駆動するためのレンズ駆動装置と、上記撮像レンズを通して入射された光を電気信号に変換する撮像素子と、を備えるカメラモジュールであって、上記撮像素子には、焦点検出に用いる第１焦点検出素子および第２焦点検出素子が２次元的に設けられており、上記レンズ駆動装置は、上記撮像レンズをチルトするチルト駆動機能を備えており、上記レンズ駆動装置は、上記第１焦点検出素子を用いて検出された第１焦点検出信号値と上記第２焦点検出素子を用いて検出された第２焦点検出信号値とに基づいて、上記撮像レンズをチルトすることを特徴としている。
【００７５】
上記構成によれば、上記レンズ駆動装置は、上記撮像レンズをチルトするチルト駆動機能を備えており、上記レンズ駆動装置は、上記第１焦点検出素子を用いて検出された第１焦点検出信号値と上記第２焦点検出素子を用いて検出された第２焦点検出信号値とに基づいて、上記撮像レンズをチルトさせ、高速に上記撮像レンズの光軸の傾きを補正することが可能であり、かつ、より広い撮像範囲において焦点ずれを低減でき、良質な写真画像を得ることが可能なカメラモジュールを実現できる。
【００７６】
本発明の態様２におけるカメラモジュールにおいては、上記第１焦点検出素子および上記第２焦点検出素子は、上記撮像素子の一軸上に設けられており、上記撮像素子の一軸と略直交する上記撮像素子の他の一軸上には、第３焦点検出素子と第４焦点検出素子とが設けられており、上記レンズ駆動装置は、上記第１焦点検出信号値と、上記第２焦点検出信号値と、上記第３焦点検出素子を用いて検出された第３焦点検出信号値と、上記第４焦点検出素子を用いて検出された第４焦点検出信号値とに基づいて、上記撮像レンズをチルトすることが好ましい。
【００７７】
上記構成によれば、上記撮像素子には、上記撮像素子における略直交する２つの軸上に４つの焦点検出素子が設けられている。したがって、少ない数の焦点検出素子を用いて効率よく上記撮像レンズをチルトさせ、上記撮像レンズの光軸の傾きを補正することが可能となる。
【００７８】
本発明の態様３におけるカメラモジュールにおいては、上記第１焦点検出素子と、上記第２焦点検出素子と、上記第３焦点検出素子と、上記第４焦点検出素子とは、上記撮像素子の中央部の外側である周辺部分に設けられていることが好ましい。
【００７９】
上記構成によれば、上記撮像素子が一般的な平面形状である場合には、各々の焦点検出信号値がゼロに近づくように撮像レンズをチルトさせることにより、撮像素子の略中央部に焦点検出画素を別途に備える必要なく、カメラモジュールは全体として合焦かつチルトレスが実現できる。
【００８０】
本発明の態様４におけるカメラモジュールにおいては、上記撮像素子の中央部には、焦点検出に用いる第５焦点検出素子が設けられており、上記レンズ駆動装置は、上記第５焦点検出素子を用いて検出された第５焦点検出信号値に基づいて、上記撮像レンズを上記撮像レンズの光軸方向に駆動することが好ましい。
【００８１】
上記構成によれば、上記撮像素子の形状や上記焦点検出素子の配置に関係なく、上記撮像素子の中央部における合焦を容易に実現できる。
【００８２】
本発明の態様５におけるカメラモジュールにおいては、上記レンズ駆動装置は、上記第１焦点検出素子を用いて検出された第１焦点検出信号値と上記第２焦点検出素子を用いて検出された第２焦点検出信号値との差がゼロに近づく方向に上記撮像レンズをチルトする構成であってもよい。
【００８３】
上記構成によれば、上記第１焦点検出信号値と上記第２焦点検出信号値との差がゼロに近づく方向に上記撮像レンズをチルトすることにより、上記カメラモジュールのチルトレスを実現できる。
【００８４】
本発明の態様６におけるカメラモジュールにおいては、上記第１焦点検出素子と、上記第２焦点検出素子と、上記第３焦点検出素子と、上記第４焦点検出素子とは、上記撮像素子の周辺部分中、対角部分に設けられていることが好ましい。
【００８５】
上記構成によれば、各焦点検出画素は上記撮像素子の周辺部分中、対角部分に設けられているので、焦点検出画素間の距離を大きくすることができ、同じチルト量でも焦点変化の影響が大きくなるため、チルト検出の感度を上げることが可能となる。
【００８６】
本発明の態様７におけるカメラモジュールにおいては、上記撮像素子に対して略平行な被写体を撮影する場合には、上記撮像レンズをチルトする方向は、上記撮像素子に対する上記撮像レンズの光軸の傾きを補正する方向であることが好ましい。
【００８７】
上記構成によれば、例えば、想定外に傾いてしまった撮像レンズの光軸を補正することができる。
【００８８】
本発明の態様８におけるカメラモジュールにおいては、上記撮像素子に対して傾斜した被写体を撮影する場合には、上記撮像レンズをチルトする方向は、上記撮像素子に近い側の被写体像と上記撮像素子に遠い側の被写体像とのデフォーカスをともに減少させる方向であることが好ましい。
【００８９】
上記構成によれば、被写体の傾きに対応して、撮像レンズの光軸をチルトさせ、撮像レンズの光軸を補正することができる。
【００９０】
本発明の態様９におけるカメラモジュールにおいては、上記レンズ駆動装置は、上記撮像レンズを支持する複数の箇所における、印加される電流値の差によって生じる磁気力の差を用いて、上記撮像レンズをチルトさせることが好ましい。
【００９１】
上記構成によれば、印加される電流値が異なれば、上記レンズ駆動装置は、上記撮像レンズをチルトするチルト駆動機能を実現でき、印加される電流値が同じであれば、上記撮像レンズを上記撮像レンズの光軸方向に駆動することができる。
【００９２】
本発明の態様１０におけるカメラモジュールにおいては、上記第１焦点検出素子および上記第２焦点検出素子の各々は、複数の画素を備えており、上記複数の画素の各々を覆う遮蔽膜の一部には、一方向において、上記画素の一端部に片寄せされた開口部が設けられており、上記画素の第１端部に片寄せされた開口部を有する複数の画素が上記一方向に配列された第１の画素群は、上記画素の第２端部に片寄せされた開口部を有する複数の画素が上記一方向に配列された第２の画素群とは、隣接して形成されていることが好ましい。
【００９３】
上記構成によれば、焦点検出画素が増えることで検出感度やダイナミックレンジが大きくなる。
【００９４】
本発明の態様１１におけるカメラモジュールにおいては、上記第１焦点検出素子および上記第２焦点検出素子の各々は、一方向に配列された複数の画素を備えており、上記複数の画素の各々を覆う遮蔽膜の一部には、上記一方向において、上記画素の一端部に片寄せされた開口部が設けられており、上記複数の画素において隣接する画素においては、上記開口部が片寄せられる方向が異なっていることが好ましい。
【００９５】
上記構成によれば、位相差による撮像レンズの合焦情報やデフォーカス情報を得ることは可能となる。
【００９６】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９７】
本発明は、携帯電話等の電子機器に搭載されるカメラモジュールに好適に用いることができる。
【符号の説明】
【００９８】
１            光学部
２            レンズ駆動装置
３            撮像部
４            撮像レンズ
５            レンズバレル
６            撮像素子
６ａ          焦点検出画素（第５焦点検出素子）
６ｂ          焦点検出画素（第１焦点検出素子）
６ｂ´        焦点検出画素（第２焦点検出素子）
６ｃ          焦点検出画素（第３焦点検出素子）
６ｃ´        焦点検出画素（第４焦点検出素子）
６ｄ          遮蔽膜
６ｅ          開口部
６ｆ          画素
６ｇ          画素
６ｈ          画素
６ｉ          画素
７            レンズホルダ
８            コイル
８ａ          上側直線部
８ｂ          下側直線部
９            マグネット
９ａ          上側部分
９ｂ          下側部分
１０ａ        上側バネ
１０ｂ        下側バネ
１０ａ´      内周枠
１０ａ´´    外周枠
１０ａ´´´  アーム部
１１          マグネット保持部材
１２          ヨーク
１３          接着剤
１４          基板
１５          センサーカバー
１６          ＩＲカットガラス
１７          被写体
１８          撮像素子
１８ａ        焦点検出画素（第５焦点検出素子）
１８ｂ        焦点検出画素（第１焦点検出素子）
１８ｂ´      焦点検出画素（第２焦点検出素子）
１８ｃ        焦点検出画素（第３焦点検出素子）
１８ｃ´      焦点検出画素（第４焦点検出素子）
１９          撮像素子
１９ａ        焦点検出画素（第５焦点検出素子）
１９ｂ        焦点検出画素（第１焦点検出素子）
１９ｂ´      焦点検出画素（第２焦点検出素子）
１９ｃ        焦点検出画素（第３焦点検出素子）
１９ｃ´      焦点検出画素（第４焦点検出素子）
２０          撮像素子
２０ａ        焦点検出画素（第５焦点検出素子）
２０ｂ        焦点検出画素（第１焦点検出素子）
２０ｂ´      焦点検出画素（第２焦点検出素子）
２０ｃ        焦点検出画素（第３焦点検出素子）
２０ｃ´      焦点検出画素（第４焦点検出素子）
２１          撮像素子
２１ａ        焦点検出画素（第１焦点検出素子）
２１ａ´      焦点検出画素（第２焦点検出素子）
２１ｂ        焦点検出画素（第３焦点検出素子）
２１ｂ´      焦点検出画素（第４焦点検出素子）
２２          撮像素子
２２ａ        焦点検出画素（第１焦点検出素子）
２２ａ´      焦点検出画素（第２焦点検出素子）
２２ｂ        焦点検出画素（第３焦点検出素子）
２２ｂ´      焦点検出画素（第４焦点検出素子）
３０          カメラモジュール
【図１】
2016075772.tif 000003
【図２】
2016075772.tif 000004
【図３】
2016075772.tif 000005
【図４】
2016075772.tif 000006
【図５】
2016075772.tif 000007
【図６】
2016075772.tif 000008
【図７】
2016075772.tif 000009
【図８】
2016075772.tif 000010
【図９】
2016075772.tif 000011
【図１０】
2016075772.tif 000012
【図１１】
2016075772.tif 000013
【図１２】
2016075772.tif 000014
【図１３】
2016075772.tif 000015
【図１４】
2016075772.tif 000016